(57)【特許請求の範囲】
【請求項１】
セグメント側透明電極を形成した第１基板と
コモン側透明電極を形成した第２基板とを備え
前記セグメント側透明電極と前記コモン側透明電極とが交差した画素からなる表示部をなし
前記表示部の外周辺部にダミー電極を有する
液晶表示装置において、
少なくとも前記外周辺部の４カ所の隅角部の少くとも一箇所のそれぞれの前記基板には対向する複数の前記ダミー電極が隅角部ダミー電極として形成されており
前記隅角部ダミー電極は前記セグメント側透明電極と同様の電極で形成されあるいは前記コモン側透明電極と同様の電極で形成され
且つ前記セグメント側透明電極または前記コモン側透明電極の電極幅と同じかまたは小さい電極幅で形成されており
対向する前記第１基板または第２基板の一方の基板の前記隅角部ダミー電極は同じ基板上の前記画素を構成するための透明電極と接続され他方の基板の前記隅角部ダミー電極は前記画素を構成するための透明電極とは開回路のフローティング状態であることを特徴とする液晶表示装置。
【発明の詳細な説明】
【０００１】
【発明の属する技術分野】
本発明は、液晶表示装置に関し、特にＳＴＮ（ス−パ−・ツイステッド・ネマチック）型液晶表示装置のギャップむらによるコントラスト、色味等の表示むら不良の改良に関する。
【０００２】
【従来の技術】
液晶表示装置は図６に示すように、基板上にセグメント側透明電極１を形成した第１のガラス基板２と、コモン側透明電極３を形成した第２のガラス基板４とを対向させてギャップを作り、その周辺部を接着して液晶を封入したもので、セグメント側透明電極１とコモン側透明電極３とが交差してできる画素からなる表示部５を構成し、各電極に所望の電圧を印加することにより、生じた電界で液晶の配向を変化させて表示を行うものである。
【０００３】
そして、液晶表示装置の製造の場合、第１のガラス基板２と第２のガラス基板４とのギャップは所定の設計値に保つために、特定径のグラスファイバ−又は球状の物質等をスペ−サ−として両基板間に分散させてギャップの管理がなされていた。しかし、近年の液晶表示装置の性能向上と共に液晶層となるギャップの管理が重要な問題となってきた。即ち、ＴＮ（ツイストネマチイック）型液晶からＳＴＮ（ス−パ−ツイストネマチイック）型液晶となって部分的なギャップむらが存在する場合表示のむらとなり表示品質を悪くする大きな要因となってきた。従って、液晶表示装置の表示品質を向上させるには表示部全域にわたってギャップを均一に保持する必要性があった。
【０００４】
そこで、特開昭６３−２６６３１号公報に開示の発明においては、電極等の凹凸が形成された基板を用いる場合、少なくともギャップ形成に関する領域にはほぼ均等に凹凸を形成すべく、特に接着部を横切る給電線が給電機能の設計上のみでは不要であり、本来設置する必要がない領域にも、例えば給電線と同一材料からなる開回路のダミ−配線による凹凸を形成してギャップの不均一の発生を防止している。従って、凸部の高さと、スペ−サ径で定められるギャップを表示全域にわたって均等に形成することができる。
【０００５】
また、実開平２−１２８１２８号公報に開示の発明も、特開昭６３−２６６３１号公報と同様に、液晶表示装置の基板間のギャップの均一化のために、ダミ−電極を基板の非有効画素領域に配設することが開示されている。図７は実開平２−１２８１２８号公報に開示の液晶表示装置の構造を示したものである。図７（ａ)は図６のＢ部に相当する部分を示したもので、第１のガラス基板２と第２のガラス基板４上の隅角部に形成された電極の配置関係を示す要部平面図で、図７（ｂ）は図７（ａ)のＤ−Ｄ線断面図である。
【０００６】
図７から明らかなように、画素からなる表示部以外の非有効画素領域において、両基板上に対向する電極が存在しない場合には両基板上にダミ−電極が形成されている。即ち、セグメント側透明電極１もコモン側透明電極３も形成されていない基板部分には第１のガラス基板２にダミ−電極５ａ、５ｂ、５ｃが形成され、第２のガラス基板４にはダミ−電極５ａ、５ｂ、５ｃに対向する位置にダミ−電極６ａ、６ｂ、６ｃが形成されている。又、一方基板にのみ電極がある場合にはその電極に対向する他方の基板の位置にダミ−電極が形成されている。即ち、第１のガラス基板２に形成されたセグメント側透明電極１に対向する第２のガラス基板４の位置にダミ−電極７ａ、７ｂ、７ｃが形成されている。この結果、両基板間のギャップ間隔をダミ−電極を介して一定にするようにしている。
【０００７】
【発明が解決しようとする課題】
しかしながら、上記の従来技術においては、基板間のギャップの不均一の発生を防止するためにダミ−電極を用いる場合、液晶表示装置完成後に、外部より静電気がチャ−ジされた後にその電荷がホ−ルドされ、非表示部分に常時点灯部が表示されてしまう様な新たな問題が発生した。又、液晶表示装置の画素電極部とダミ−電極部とで若干の色味が異なり、色むらが生ずるという問題があった。
【０００８】
本発明は、上記の問題点に鑑みなされたもので、その目的は、液晶表示装置の基板間のギャップの均一化を図ると共に、静電気のチャ−ジによる非表示部分における常時点灯部の表示や色味など表示むらの改良をした液晶表示装置を提供することにある。
【０００９】
【課題を解決するための手段】
上記目的を達成するために、本発明は、セグメント側透明電極を形成した第１基板とコモン側透明電極を形成した第２基板とを備え前記セグメント側透明電極と前記コモン側透明電極とが交差した画素からなる表示部をなし前記表示部の外周辺部にダミー電極を有する液晶表示装置において、
少なくとも前記外周辺部の４カ所の隅角部の少くとも一箇所のそれぞれの前記基板には対向する複数の前記ダミー電極が隅角部ダミー電極として形成されており前記隅角部ダミー電極は前記セグメント側透明電極と同様の電極で形成されあるいは前記コモン側透明電極と同様の電極で形成され且つ前記セグメント側透明電極または前記コモン側透明電極の電極幅と同じかまたは小さい電極幅で形成されており対向する前記第１基板または第２基板の一方の基板の前記隅角部ダミー電極は同じ基板上の前記画素を構成するための透明電極と接続され他方の基板の前記隅角部ダミー電極は前記画素を構成するための透明電極とは開回路のフローティング状態であることを特徴とする。
【００１０】
さらに、前記接続電極で接続された前記ダミー電極は、前記第１の電極または前記第２の電極の最も外側であって、前記ダミ−電極と近い電極と前記接続電極で接続されていることを特徴とする。
【００１１】
さらに、ダミ−電極は第１基板と第２基板が交差してできる領域の４カ所の隅角部の少なくとも一箇所に形成されていることを特徴とする。
【００１２】
さらに、前記接続電極で接続された前記ダミー電極の電極幅は、前記接続電極で接続される前記第１の電極の電極幅または前記第２の電極の電極幅と略同じであることを特徴とする。
【００１４】
【発明の実施の形態】
以下本発明の実施の形態を図面に示す実施例に基いて説明する。尚、図において、従来技術と同一部材は同一符号で示し、説明を省略する。図１は本発明の第１の実施例の液晶表示装置の電極の配置関係を示す平面図である。図２は図１の第２のガラス基板の電極の配置関係を示す平面図である。図３は図１のＡ部の拡大平面図である。図４は図３のＣ−Ｃ線断面図である。
【００１５】
第１のガラス基板２の上に形成されたセグメント側透明電極１と第２のガラス基板４の上に形成されたコモン側透明電極３が交差してできる画素からなる表示部５以外の非有効画素領域にダミ−電極が形成されている。即ち、第１のガラス基板２にはダミ−電極８、１０、１２、１４が４か所の隅角部に形成され、第２のガラス基板４にはダミ−電極８、１０、１２、１４に対向した位置にダミ−電極９、１１、１３、１５が形成されている。
図３のごとく、本発明の実施形態では、前記隅部に設けたダミー電極は、セグメント側透明電極１の電極幅あるいは電極ピッチとほぼ同じに設定した。
【００１６】
また、ダミ−電極８、９についてみると、図４の断面図に示したように、ダミ−電極８ａ、８ｂ、８ｃおよび９ａ、９ｂ、９ｃは図４の断面図に示されるように、セグメント側透明電極１やコモン側透明電極３が存在していない基板上に設けられ、しかもダミ−電極８ａ−９ａ、８ｂ−９ｂ、８ｃ−９ｃ間のギャップ間隔はセグメント側透明電極１とコモン側透明電極３とのギャップ間隔と同じ距離にしてある。そして、第１のガラス基板２上のダミ−電極８、１０、１２、１４はそれぞれセグメント側透明電極１の外側の電極に接続されて導通を取っているいる。ダミ−電極８についてみると、接続電極８ｄにより各ダミ−電極８ａ、８ｂ、８ｃが外側のセグメント側透明電極１ａに接続されている。第２のガラス基板４上のダミ−電極９、１１、１３、１５は図２に示すように、コモン側透明電極３とは接続せずに非導通の開回路のフロ−ティングの状態にされている。
【００１７】
この様な構成によって、第１の実施例においては、第１のガラス基板２と第２のガラス基板４のギャップはセグメント側透明電極１とコモン側透明電極３とでできるギャップの間隔が表示部の外周辺部においてはダミ−電極８−９、１０−１１、１２−１３、１４−１５間によって同じ間隔のギャップが設定されていることから、両基板間に特定径の球状等のスペ−サ−材として分散させることにより基板間のギャップを一定に且つ均一にすることができる。
【００１８】
また、第１のガラス基板２上のダミ−電極８、１０、１２、１４はそれぞれセグメント側透明電極１の電極と接続されていることから、液晶表示装置完成後外部よりダミ−電極部に静電気がチャ−ジされてもセグメント側透明電極を通して放電が可能であり、表示品質を劣化させることはない。
【００１９】
更に、本実施例においては、第１のガラス基板２上のダミ−電極８、１０、１２、１４はそれぞれセグメント側透明電極１の電極と接続し、第２のガラス基板４上のダミ−電極９、１１、１３、１５はコモン側透明電極３とは接続せず開回路のフロ−ティングの状態にされている。
【００２０】
図５は本発明の他の実施例で、図１のＡ部に相当する部分を示した拡大平面図である。ダミ−電極を液晶表示パネルの表示部の外周辺部の４辺に沿って形成したものである。第１のガラス基板１０２上のダミ−電極は画素部を構成するセグメント側透明電極１０１を表示部１０５の外周辺部に延長してダミ−電極１０１ａとし、図示はしていないが、ダミ−電極１０１ａと対向するダミ−電極を第２のガラス基板１０４上に形成し、又、第２のガラス基板１０４上のダミ−電極は画素部を構成するコモン側透明電極１０３を表示部１０５の外周辺部に延長してダミ−電極１０３ａとし、図示はしていないが、ダミ−電極１０３ａと対向するダミ−電極を第１のガラス基板１０２上に形成したものである。尚、隅角部のダミ−電極１０８は第１の実施例と同様の構成で４カ所に設けられている。又、セグメント側透明電極又はコモン側透明電極を延長して形成するダミ−電極の幅はそれぞれセグメント側透明電極又はコモン側透明電極の表示部電極の幅より小さくしている。セグメント側透明電極の幅は１２０μｍ〜２００μｍ程度で、コモン側透明電極の幅は３００μｍ程度で、これを延長して形成するダミ−電極の幅はそれぞれの約９０％程度が適当である。ダミ−電極の幅が余り小さくなると非点灯状態で表示部との識別がはっきりして好ましくない。尚、上記のセグメント側透明電極とコモン側透明電極の幅から画素の面積は３００μｍ×１２０μｍ〜２００μｍ程度である。
【００２１】
この実施例では表示部１０５の外周片部の４辺すべてにダミ−電極が形成されているので基板のギャップ間隔を一定に且つ均一にする効果を一層高めることができる。又、セグメント側透明電極又はコモン側透明電極を延長して形成するダミ−電極の幅はそれぞれセグメント側透明電極又はコモン側透明電極の幅より小さくそれぞれの横のギャップを大きくしているのでダミ−電極部での電極間の短絡を防止することができる。
このように本発明は、一方の基板上にセグメント側透明電極を形成した第１基板と、他方の基板上にコモン側透明電極を形成した第２基板とを備え、前記第１基板と前記第２基板との間に液晶を封止してなる液晶表示装置であり、前記セグメント側電極と前記コモン側電極とが交差した画素からなる表示部以外の領域の前記第１基板及び前記第２基板に夫々対向する如くダミ−電極を形成し、前記第１基板上の前記ダミ−電極は前記セグメント側透明電極のいずれか１つの電極と接続すると共に、前記第２基板上の前記ダミ−電極は開回路としたこと、及び又は前記第２基板上の前記ダミ−電極は前記コモン側透明電極のいずれか１つの電極と接続すると共に、前記第１基板上の前記ダミ−電極は開回路とした。さらに、前記第１基板又は前記第２基板上の前記ダミ−電極は前記セグメント側透明電極又は前記コモン側透明電極の最も外側であって、前記ダミ−電極と近い電極と接続されている。さらに、前記ダミ−電極は前記第１基板と第２基板が交差してできる領域の４カ所の隅角部の少くとも一箇所に形成されている。さらに、前記ダミ−電極は前記表示部の外周辺部の４辺に沿って形成されている。さらに、前記表示部の外周辺部に、前記第１基板上の前記セグメント側透明電極を延長して形成される前記ダミ−電極の幅は前記セグメント側透明電極の表示部電極の幅より小さく、前記第２基板上の前記コモン側透明電極を延長して形成される前記ダミ−電極の幅は前記コモン側透明電極の表示部電極の幅より小さくしている。
【００２２】
【発明の効果】
以上述べたことから明らかなように、本発明によれば、ダミ−電極を基板に設けることによって液晶表示装置の基板間のギャップの均一化を図ると共に、ダミ−電極の一方を画素電極に接続し、他方を開回路即ちフロ−ティングにしておくことにより色味など表示むらをなくすことができる効果を有する。
【図面の簡単な説明】
【図１】本発明の第１の実施例の液晶表示装置の電極の配置関係を示す平面図である。
【図２】図１の第２のガラス基板の電極の配置関係を示す平面図である。
【図３】図１のＡ部の拡大平面図である。
【図４】図３のＣ−Ｃ線断面図である。
【図５】本発明の他の実施例であり、図１のＡ部に相当する部分拡大平面図である。
【図６】従来の液晶表示装置の電極配置関係を示す平面図である。
【図７】図７（ａ)は図６のＢ部に相当する部分の電極配置関係を示す要部拡大平面図で、図７（ｂ）は図７（ａ)のＤ−Ｄ線断面図である。
【符号の説明】
１、１０１      セグメント側透明電極
２、１０２      第１のガラス基板
３、１０３      コモン側透明電極
４、１０４      第２のガラス基板
５、１０５      表示部
８、１０、１２、１４      第１のガラス基板上のダミ−電極
９、１１、１３、１５      第２のガラス基板上のダミ−電極
【図１】
0003819086.tif 000002
【図２】
0003819086.tif 000003
【図３】
0003819086.tif 000004
【図４】
0003819086.tif 000005
【図５】
0003819086.tif 000006
【図６】
0003819086.tif 000007
【図７】
0003819086.tif 000008